(57)【要約】【課題】内層と外層のどちらが外側に現れる状態でも綺麗な伏目箇所を形成可能なリヴァーシブル編地の伏目処理方法を開示する。【解決手段】リヴァーシブル編地の最終の編目列のループに対し、伏目ループの形成に先立って内層編地の前側編地の最終の編目列のループと内層編地の後側編地の最終の編目列のループを交差させて内層編地を内層編地編成用の編糸で伏目処理した後、外層編地の表側編地の最終の編目列のループと後側編地の最終の編目列のループを接合するとともに外層編地編成用の編糸で前側編地と後側編地に形成した伏目ループを交差させて伏目処理する。【選択図】図２
2004204398.tif 000002
【特許請求の範囲】
【請求項１】
少なくとも前後一対の針ベッドを備え、各針ベッドは多数の針を備え、前後に対向配置される第１の針ベッドと第２の針ベッド間の領域を歯口とし、かつ第１針ベッドと第２針ベッドの少なくとも一方が左右に摺動可能な横編機を使用し内層編地と外層編地が断面中空状に二層に重ねられ、内層編地と外層編地がそれぞれ前側編地と後側編地により構成されるリヴァーシブル編地の最終の編目列のループに対し、編地の最終の編目列のループに続いて形成した伏目ループを隣接するループと重ねて次コースの伏目ループを形成する編成を、伏目処理領域の一端側から他端側に向かい繰り返し、編み終わり側で接合する伏目処理方法であって以下の工程：
１）  伏目ループの形成に先立って内層編地の前側編地の最終の編目列のループと内層編地の後側編地の最終の編目列のループを交差させて内層編地を内層編地編成用の編糸で伏目処理する工程
２）  外層編地の表側編地の最終の編目列のループと後側編地の最終の編目列のループを接合するとともに外層編地編成用の編糸で以下のステップを含む編成により伏目処理する工程
ａ：  前記前側編地と後側編地の各編地のループを保持している針に給糸して新たなループを形成するステップ
ｂ：  前側編地と後側編地に形成したループが互いに巻回し合うように前後針床間で目移しを行い、前側編地に形成したループと後側編地に形成したループを交差させるステップ
ｃ：  この後、前記前側編地に形成した新たなループを、前記前側編地の内側のループを係止する針に目移しして前側編地の内側のループと重ね、前記後側編地に形成した新たなループを、前記後側編地の内側のループを係止する針に目移しして後側編地の内側のループと重ねるステップ
を含むことを特徴とするリヴァーシブル編地の伏目処理方法。
【請求項２】
少なくとも前後一対の針ベッドを備え、各針ベッドは多数の針を備え、前後に対向配置される第１の針ベッドと第２の針ベッド間の領域を歯口とし、かつ第１針ベッドと第２針ベッドの少なくとも一方が左右に摺動可能な横編機を使用し内層編地と外層編地が断面中空状に二層に重ねられ、内層編地と外層編地がそれぞれ前側編地と後側編地により構成されるリヴァーシブル編地の最終の編目列のループに対し、編地の最終の編目列のループに続いて形成した伏目ループを隣接するループと重ねて次コースの伏目ループを形成する編成を、伏目処理領域の一端側から他端側に向かい繰り返し、編み終わり側で接合する伏目処理方法であって以下の工程：
１）  内層編地の表側編地のループと、これら表側編地のループと対向する後側編地のループを重ねる工程
２）  工程１で重ねたループに続けて内層編地編成用の編糸で次コースのループを形成する工程
３）  工程２で形成したループに続けて外層編地編成用の編糸で次コースのループを形成する工程
４）  工程３で形成したループを外層編地のループと重ねる工程
５）  工程４で重ねたループに外層編地編成用の編糸で次コースのループを形成する工程
６）  外層編地の表側編地と後側編地のループを接合するとともに外層編地編成用の編糸で以下のステップを含む編成により伏目処理する工程：
ａ：  前側編地と後側編地の各編地のループを保持している針に給糸して新たなループを形成するステップ
ｂ：  前側編地と後側編地に形成したループが互いに巻回し合うように前後針床間で目移しを行い、前側編地に形成したループと後側編地に形成したループを交差させるステップ
ｃ：  この後、前側編地に形成した新たなループを、前側編地の内側のループを係止する針に目移しして前側編地の内側のループと重ね、後側編地に形成した新たなループを、後側編地の内側のループを係止する針に目移しして後側編地の内側のループと重ねるステップ
を含むことを特徴とするリヴァーシブル編地の伏目処理方法。
【発明の詳細な説明】
【０００１】
【発明の属する技術分野】
本発明は横編機上で編成される編地の終端部に解れ止めを施す伏目処理方法に関し、特に表裏二層の編地が重ねられて編成され、裏返すことで双方の編地が外側に現れる状態で着用可能なリヴァーシブルの筒状編地の伏目処理方法に関する。
【０００２】
【従来の技術】
横編機で編地を編成する際に、横編機上の編成により最終の編目列のループを連結する伏目ループを形成して解れ止めを施すことで、編成完了後の縫製作業を簡略化する伏目処理方法が種々提案されている。伏目処理方法は最終コースの端に位置するループに続く伏目ループを形成し、該形成された伏目ループを隣接するループと重ね合わせ、該重ね合わせたループに編糸を供給して縁編目部に続く伏目ループを形成する編成を繰り返し行うことで、最終の編目列のループを解れ止め処理する。
【０００３】
例えば異なる色の編糸で形成される内層編地と外層編地が二層に重ねられ、裏返すことで双方の編地が外側に現れる状態で着用可能なリヴァーシブルのセーターの肩部を従来の伏目処理方法で伏目処理する場合、内層編地と外層編地の最終の編目列のループ同士を重ねた後、これら重ね目に内層または外層編地の何れかの編成に使用した編糸により伏目ループを形成して伏目処理する。このようにして伏目処理したセーターでは、外層編地の最終の編目列のループと内層編地の最終の編目列のループが重ねられるため、伏目箇所が引き伸ばされた時に編地の裏側に隠れる側の編地のループが編地表面から見えてしまうため見た目が良くない。
【０００４】
従来の筒状編地の伏目処理方法として第１、第２の２つの編地の各編地の編目を保持している針に給糸して新たにループを形成し、第１の編地と第２の編地に形成したループ同士が互いに巻回し合うように前後針ベッド間で目移しを行い、第１の編地に形成した編目の両側の編糸と、第２の編地に形成した編目の両側の編糸を互いに交差させ、第１の編地に形成したループを第１の編地の内側の編目と重ね、第２の編地に形成したループを第２の編地の内側の編目と重ねる伏目方法がある（例えば特許文献１参照。）。特許文献１の伏目方法では伏目箇所で編地のコース方向に延びる伏目ループ列を編地の裏側に形成することで編地表面に伏目ループ列が現れない。このように周辺部とループの配列方向が異なる伏目ループ列を編地裏面に隠すことで編地の表面側に伏目ループ列が現れず美観に優れた伏目箇所を形成できる。しかし、リヴァーシブルの編地を特許文献１の伏目処理方法により伏目処理すると伏目ループ列が編地の裏面に形成されるため、編地を裏返すと着用時に外側になる部分に伏目ループ列が現れてしまう。これまで内層と外層のいずれが外側に現れる状態で着用しても綺麗な伏目箇所を形成可能な伏目処理方法はなかった。
【０００５】
【特許文献１】
特許第３０４４３６８号公報（第４−８頁）
【０００６】
【発明が解決しようとする課題】
本発明は横編機上で編地の解れ止め処理を行う伏目処理方法、特に内外二層の編地が重なって編成されるリヴァーシブル編地の伏目処理方法に関し、内層と外層のどちらが外側に現れる状態でも綺麗な伏目箇所を形成可能なリヴァーシブル編地の伏目処理方法を開示することを目的とする。
【０００７】
【課題を解決するための手段】
上記した問題を解決するため、本発明のリヴァーシブル編地の伏目処理方法は、  少なくとも前後一対の針ベッドを備え、各針ベッドは多数の針を備え、前後に対向配置される第１の針ベッドと第２の針ベッド間の領域を歯口とし、かつ第１針ベッドと第２針ベッドの少なくとも一方が左右に摺動可能な横編機を使用し内層編地と外層編地が断面中空状に二層に重ねられ、内層編地と外層編地がそれぞれ前側編地と後側編地により構成されるリヴァーシブル編地の最終の編目列のループに対し、編地の最終の編目列のループに続いて形成した伏目ループを隣接するループと重ねて次コースの伏目ループを形成する編成を、伏目処理領域の一端側から他端側に向かい繰り返し、編み終わり側で接合する伏目処理方法であって以下の工程：
１）  伏目ループの形成に先立って内層編地の前側編地の最終の編目列のループと内層編地の後側編地の最終の編目列のループを交差させて内層編地を内層編地編成用の編糸で伏目処理する工程
２）  外層編地の表側編地の最終の編目列のループと後側編地の最終の編目列のループを接合するとともに外層編地編成用の編糸で以下のステップを含む編成により伏目処理する工程
ａ：  前記前側編地と後側編地の各編地のループを保持している針に給糸して新たなループを形成するステップ
ｂ：  前側編地と後側編地に形成したループが互いに巻回し合うように前後針床間で目移しを行い、前側編地に形成したループと後側編地に形成したループを交差させるステップ
ｃ：  この後、前記前側編地に形成した新たなループを、前記前側編地の内側のループを係止する針に目移しして前側編地の内側のループと重ね、前記後側編地に形成した新たなループを、前記後側編地の内側のループを係止する針に目移しして後側編地の内側のループと重ねるステップ
を含むことを特徴とする。上記発明の構成によれば、目移しにより内層編地の前側編地の最終の編目列のループと後側編地の最終の編目列のループの前後関係を入れ替えることでループを構成する編糸が交差し、内側編地の伏目ループ列は前側編地の最終の編目列のループと、後側編地の最終の編目列のループを形成する編糸が交差し閉じられているため編地裏面に現れず、内層編地の外側（内層編地が外側に現れる着用状態で内層編地の内側に隠れる部分）に形成され、外層編地は伏目ループ列が内側（外層編地が外側に現れる着用状態で外層編地の内側に隠れる部分）に形成される。
【０００８】
また、少なくとも前後一対の針ベッドを備え、各針ベッドは多数の針を備え、前後に対向配置される第１の針ベッドと第２の針ベッド間の領域を歯口とし、かつ第１針ベッドと第２針ベッドの少なくとも一方が左右に摺動可能な横編機を使用し内層編地と外層編地が断面中空状に二層に重ねられ、内層編地と外層編地がそれぞれ前側編地と後側編地により構成されるリヴァーシブル編地の最終の編目列のループに対し、編地の最終の編目列のループに続いて形成した伏目ループを隣接するループと重ねて次コースの伏目ループを形成する編成を、伏目処理領域の一端側から他端側に向かい繰り返し、編み終わり側で接合する伏目処理方法であって以下の工程：
１）  内層編地の表側編地のループと、これら表側編地のループと対向する後側編地のループを重ねる工程
２）  工程１で重ねたループに続けて内層編地編成用の編糸で次コースのループを形成する工程
３）  工程２で形成したループに続けて外層編地編成用の編糸で次コースのループを形成する工程
４）  工程３で形成したループを外層編地のループと重ねる工程
５）  工程４で重ねたループに外層編地編成用の編糸で次コースのループを形成する工程
６）  外層編地の表側編地と後側編地のループを接合するとともに外層編地編成用の編糸で以下のステップを含む編成により伏目処理する工程：
ａ：  前側編地と後側編地の各編地のループを保持している針に給糸して新たなループを形成するステップ
ｂ：  前側編地と後側編地に形成したループが互いに巻回し合うように前後針床間で目移しを行い、前側編地に形成したループと後側編地に形成したループを交差させるステップ
ｃ：  この後、前側編地に形成した新たなループを、前側編地の内側のループを係止する針に目移しして前側編地の内側のループと重ね、後側編地に形成した新たなループを、後側編地の内側のループを係止する針に目移しして後側編地の内側のループと重ねるステップ
を含むことも特徴の一つである。上記発明の構成によれば、内層編地の最終ループ同士が内層編地編成用の編糸により形成されたループで連結され、外層編地の最終ループ同士が外層編地編成用の編糸により形成された伏目ループ列により伏目処理されるとともに、外層編地は伏目ループ列が内側（外層編地が外側に現れる着用状態で外層編地の内側に隠れる部分）に形成されるため伏目箇所が引き伸ばされても伏目箇所に編地表面と異なる編糸が露出して美観を損なう虞がない。
【０００９】
【発明の実施の形態】
本発明の実施例を以下図面とともに詳細に説明する。本実施例の伏目処理方法は、少なくとも前後一対の針ベッドを有し、その何れか一方または双方の針ベッドがラッキング可能な横編機で実施可能である。以下の説明では前後一対の下部ベッドの上方に上部ベッドを備えた四枚ベッド横編機で編成する場合を説明する。
【００１０】
＜第一実施例＞
第一実施例は内層編地と外層編地が伏目箇所で分離した状態で解れ止め処理することを特徴とする。本実施例の伏目処理方法は例えばリヴァーシブルのセーターの肩部等の伏目処理に適しているが、以下の説明では説明を容易にするため図１−ａの筒状編地を伏目処理する場合を説明する。
図１−ａは第一実施例で伏目処理するリヴァーシブル編地５を示す図であり、図１−ｂはリヴァーシブル編地５の基本編成部における編成を示す編成コース図である。黒丸は内層編地２，３のループを、白丸は外層編地１，４のループを示す。リヴァーシブル編地５は外層編地の前側編地部（以下、前側外層編地部１と呼ぶ）と外層編地の後側編地部（以下、後側外層編地部４と呼ぶ）が両端で連続し、内層編地２，３の前側編地部（以下、前側内層編地部２と呼ぶ）と内層編地２，３の後側編地部（以下、後側内層編地部３と呼ぶ）が両端で連続し内外二層に重なる筒状編地であり、裏返すことでどちらの編地が外側に現れる状態でも使用可能である。
【００１１】
図１−ｂのコース１において前側外層編地部１は前下部ベッドＦＤの奇数番目の針に係止され、前側内層編地部２は前下部ベッドＦＤの偶数番目の針に係止される。後側内層編地部３は後下部ベッドＢＤの奇数番目の針に係止され、後側外層編地部４は後下部ベッドＢＤの偶数番目の針に係止される。本実施例では内層編地部２，３および外層編地部１，４のそれぞれが外側に現れる着用状態とした時に表目編組織が編地表面に現れるように前側内層編地部２は後上部ベッドＢＵで、後側内層編地部３は前上部ベッドＦＵで形成する。前側外層編地部１を形成する際には前側内層編地部２を編成の邪魔にならないように後上部ベッドＢＵに移動させた図１−ｂのコース２の状態で編成する。同様に後側外層編地部４を形成する際には後側内層編地部３を編成の邪魔にならないように前上部ベッドＦＵに移動させた図１−ｂのコース３の状態で編成する。以下の説明では外層編地１，４と内層編地２，３を表目の平編組織で編成する場合を説明するが、裏目の平編組織としたり表目と裏目を混在させて編成することも可能である。
【００１２】
以下、図２〜５でリヴァーシブル編地５の伏目処理について説明する。図２〜４は第一実施例を示す編成コース図であり、内層編地２，３のループを黒丸で、外層編地１，４のループを白丸で示す。図５は第一実施例の編成方法により伏目処理したリヴァーシブル編地５の断面図である。第一実施例では図１−ｂの基本編成部の編成が完了した図１−ｂのコース１から伏目処理を開始する。コース２−１では前側編地１，２の最終の編目列のループが前下部ベッドＦＤに、後側編地３，４の最終の編目列のループが後下部ベッドＢＤに係止された状態から伏目処理領域の右端に位置する前下部ベッドＦＤの針Ｎのループ６を後下部ベッドＢＤの針ｏに目移しする。続いて後下部ベッドＢＤの針ｍに係止される後側内層編地部３のループ７を空き針となった前下部ベッドＦＤの針Ｎに目移しし、更に前側内層編地部２のループ８を空き針となった後下部ベッドＢＤの針ｍに目移しする。これら一連の目移しにより、コース２−２に示すように前側内層編地部２の最終の編目列のループ６，８と後側内層編地部３の最終の編目列のループ７が交差する。コース２−３ではループ６に内層編地編成用の編糸（内層編地の編成に使用した編糸または同種の編糸）を給糸する給糸口２０で次コースのループ９を形成する。そしてコース２−４ではループ９を前上部ベッドＦＵの針Ｍに目移しするとともに後側内層編地部３のループ１０を前下部ベッドＦＤの針Ｌに目移しする。この目移しによりコース２−５に示すように前側内層編地部２のループ８および前側内層編地部２の最終の編目列のループ６に続いて形成された伏目ループ９と、後側内層編地部３のループ７，１０が交差する。コース２−６ではループ７に給糸口２０で伏目ループ１１を形成する。
【００１３】
図３のコース３−１では伏目ループ１１を後上部ベッドＢＵの針ｌに目移しするとともに、前下部ベッドの針Ｊに係止される前側内層編地部２のループ１２を後下部ベッドＢＤの針ｋに目移しする。この目移しによりコース３−２に示すようにループ８〜１２が交差する。以上コース２−１〜３−２が前側内層編地部２および後側内層編地部３をそれぞれ１目づつ伏目処理する１ターン分の編成である。つづいてコース３−３〜図４のコース４−２でコース２−１〜３−２と同様の編成を行う。コース３−３では前上部ベッドＦＵの針Ｍに係止されるループ９を後下部ベッドＢＤの針ｍに目移ししてループ８と重ねる。コース３−４では給糸口２０でループ８，９の重ね目に給糸口２０で続く次コースの伏目ループ１３を形成する。コース３−５ではループ１３を前上部ベッドＦＵの針Ｋに目移しするとともに、後下部ベッドＢＤの針ｉに係止される後側内層編地部３の最終の編目列のループ１４を前下部ベッドＦＤの針Ｊに目移しする。コース３−６では後上部ベッドＢＵの針ｌに係止されるループ１０を前下部ベッドＦＤの針Ｌに目移ししてループ１１と重ねる。コース４−１ではループ１０と１１の重ね目に給糸口２０で次コースの伏目ループ１５を形成する。コース４−２ではループ１５を後上部ベッドＢＵの針ｊに目移しするとともに、前下部ベッドＦＤの針Ｈに係止される前側内層編地部２の最終の編目列のループ１６を後下部ベッドＢＤの針ｉに目移しする。以降、コース３−３〜４−２の編成を内層編地２，３の全ての最終の編目列のループの伏目処理が終わるまで繰り返し内層編地２，３を接合して伏目処理する。内層編地２，３の伏目処理完了後、外層編地１，４に対し前記特許文献１に開示される伏目方法により外層編地編成用編糸（外層編地の編成に使用した編糸または同種の編糸）を使用して伏目処理し編地１，４の裏側に伏目ループ列を形成する。なお、外層編地を伏目処理する編成については前記特許文献１で詳細に説明されているためここでの詳細な説明は省略する。
【００１４】
上記編成により伏目処理された筒状編地の断面図を図５に示す。上記編成では内層編地において前側内層編地部２のループと後側内層編地部３のループを交差し前記特許文献１の伏目処理を行った。特許文献１に開示される伏目方法では、通常は伏目ループ列が編地の裏面に形成されるが、本実施例ではコース２−１，コース２−４，コース３−１，コース３−５等で行う目移しにより前側内層編地部２の最終の編目列のループと後側内層編地部３の最終の編目列のループの前後関係を入れ替えることでループを構成する編糸が交差する。したがって伏目ループ列１９は前側内層編地部２の最終の編目列のループと、後側内層編地部３の最終の編目列のループを形成する編糸が交差し閉じられているため編地裏面に現れず、内層編地の外側（内層編地が外側に現れる着用状態で内層編地の内側に隠れる部分）に形成される。このように伏目ループ列１９が編地の裏面に隠れる部分に形成されるので内層編地が外側に現れる着用状態で綺麗な伏目箇所を形成できる。また、内層編地と異なり外層編地１，４は最終の編目列のループの前後関係を入れ替えずに前記特許文献１の伏目方法により伏目処理するため、伏目ループ列１８が外層編地の裏側（外層編地が外側に現れる着用状態で外層編地の裏側に隠れる部分）に形成される。したがって、外層編地１，４が外側に現れる着用状態で伏目ループ１９が編地の裏面に隠れる綺麗な伏目箇所を形成できる。また、外層編地１，４と内層編地２，３が分離した状態となり、着用時に内層編地が外層編地に引っ張られて着心地を損なったり皺が寄る虞がない。なお、上記実施例では内層編地の伏目処理を前記特許文献１に開示される伏目方法により行ったが、別の伏目方法により伏目処理することも可能である。また、上記実施例では前後一対の針ベッド上に上部補助ベッドを備えた四枚ベッド横編機を使用する場合を説明したが、前後一対の針ベッドが配置される二枚ベッド横編機で編成することも可能である。二枚ベッド横編機で編成する場合には、前側外層編地部１、前側内層編地部２、後側内層編地部３、後側外層編地部４の各編地部の編成用にそれぞれ３本置きに配置される前後一対の編針を割り当て、対向する編針の内の一方の編針のみにループを係止させ、対向する針を目移し用の空針として使用することで４層の編地を編成することができる。このようにして二枚ベッド横編機で編成する場合には前側内層編地部２と後側内層編地部３の最終の編目列のループ同士を一括して交差させた後に伏目処理することも可能である。
【００１５】
＜第二実施例＞
次に図６と図７を使用して第二実施例を説明する。図６は第二実施例を示す編成コース図であり内層編地のループを黒丸で、外層編地のループを白丸で示す。図７は図６の編成コース図に従って伏目処理された編地の断面図である。第二実施例においても第一実施例と同じ図１−ａのリヴァーシブル編地５を伏目処理する。第二実施例は内層編地２，３と外層編地１，４が伏目箇所で接合された状態に伏目処理することを特徴とする。第二実施例では前後一対の下部針ベッド上に上部針ベッドを備えた四枚ベッド横編機を使用する場合を説明する。
第二実施例においても第一実施例と同様に図１−ｂのコース１の状態から伏目処理を開始する。コース６−１では前下部ベッド上の前側内層編地部２のループを後下部ベッド上の後側内層編地部３のループと対向する編目同士を重ねる。コース６−２では内層編地編成用の編糸（内層編地の編成に使用した編糸または同種の編糸）を給糸する給糸口２１で前記コース６−１で重ね目とした内層編地２，３のループに次コースのループ列を形成する。続いて、コース６−３では内層編地２，３のループを保持した針に外層編地編成用の編糸（外層編地の編成に使用した編糸又は同種の編糸）を給糸する給糸口２２で給糸して次コースのループを形成する。コース６−４ではコース６−３で形成したループを前下部ベッドＦＤ上に目移しして前側外層編地部１のループと重ねる。コース６−５ではコース６−４で重ね目としたループに給糸口２２で給糸して次コースのループを形成する。以降、前記特許文献１に記載される伏目編成を外層編地編成用の編糸で行ってリヴァーシブル編地５の最終の編目列のループを解れ止め処理する。
【００１６】
上記編成により伏目処理された編地の断面図を図７に示す。内層編地２，３の最終ループ同士が内層編地編成用の編糸により形成されたループで連結され、外層編地１，４の最終ループ同士が外層編地編成用の編糸により形成された伏目ループ列２３により伏目処理される。最終の編目列のループの前のコースのループが編地表面に現れるループと同種の編糸により形成されるため、伏目箇所が引き伸ばされても伏目箇所に編地表面と異なる編糸が露出して美観を損なう虞がない。また、内層編地２，３の最終の編目列のループが向き合った状態で次コースのループが形成され、内層編地２，３が外側に現れる状態では最終の編目列のループに続いて形成された伏目ループ列２３が編地の裏側に隠れるため、内層編地が外側に現れる着用状態および外層編地が外側に現れる着用状態の何れの状態でも編地表面が突出したり伏目ループ列が編地表面に現れず美観に優れた伏目箇所を形成できる。なお、上記第一実施例および第二実施例では筒状編地を伏目処理する場合を説明したが、ベストの肩部を伏目する場合のように筒状以外の編地を伏目処理することも可能である。また、第二実施例においても第一実施例と同様に二枚ベッド横編機で実施することも可能である。
【００１７】
上記したように本発明の構成によれば、リヴァーシブル編地を内層と外層のどちらが外側に現れる状態で着用しても綺麗な伏目箇所が編地表面に現れる。
また、本発明の請求項１の発明の構成によれば、内層編地および外層編地の両方の編地の伏目ループ列が内層編地と外層編地間に形成されるため内層編地と外層編地の何れが外側に現れる状態で着用しても伏目ループ列が編地裏面に隠れるので綺麗な伏目箇所を形成できる。
また、請求項２の発明の構成によれば、内層編地の最終の編目列のループが同じ編糸により形成されたループにより保持されるので、伏目箇所が引き伸ばされても編地表面と異なる編糸が露出することのない綺麗な伏目箇所を形成できる。
【図面の簡単な説明】
【図１】図１−ａは伏目処理する前のリヴァーシブル編地を示す図であり、図１−ｂは図１−ａの編地の基本編成部における編成を示す編成コース図である。
【図２】第一実施例を示す編成コース図である。
【図３】第一実施例を示す編成コース図である。
【図４】第一実施例を示す編成コース図である。
【図５】第一実施例の編成方法により伏目処理した編地の断面図である。
【図６】第二実施例を示す編成コース図である。
【図７】第二実施例の編成方法により伏目処理した編地の断面図である。
【符号の説明】
１…前側外層編地部、２…前側内層編地部、３…後側内層編地部、４…後側外層編地部、５…リヴァーシブル編地、１８，１９…伏目ループ列、２０，２１，２２…給糸口、２３…伏目ループ列
【図１】
2004204398.tif 000003
【図２】
2004204398.tif 000004
【図３】
2004204398.tif 000005
【図４】
2004204398.tif 000006
【図５】
2004204398.tif 000007
【図６】
2004204398.tif 000008
【図７】
2004204398.tif 000009